(57)【要約】【課題】  肌に優しく生え際にも染毛剤を十分に塗布することができる染毛用塗布具及び染毛剤塗布具の使用方法の提供。【解決手段】  染毛剤塗布具１は、直線状の直線端部２１Ａを有する第１塗布部２１と、第１塗布部２１に隣接し、アールＲ２が形成された第２塗布部２２と、第１塗布部２１に隣接し、第２塗布部２２のアールＲ２よりも半径の大きいアールＲ３が形成された第３塗布部２３と、作業者が把持するための把持部２４と、髪をかき分けるためのテール部３と、を有している。第１塗布部２１、第２塗布部２２、第３塗布部２３、及び把持部２４は、同一の弾性素材で一体的に形成されている。【選択図】図１
2018153380.tif 000002
【特許請求の範囲】
【請求項１】
直線状の直線端部を有する第１塗布部と、
前記第１塗布部に隣接し、アールが形成された第２塗布部と、
前記第１塗布部に隣接し、前記第２塗布部のアールよりも半径の大きいアールが形成された第３塗布部と、
作業者が把持するための把持部と、
髪をかき分けるためのテール部と、を有し、
前記第１塗布部、前記第２塗布部、前記第３塗布部、及び前記把持部は、同一の弾性素材で一体的に形成されていることを特徴とする染毛剤塗布具。
【請求項２】
長手方向における断面形状は、前記長手方向に延びる中心線に対して線対称であって、
前記第１塗布部、前記第２塗布部、及び前記第３塗布部における前記断面形状は、前記長手方向の一端から他端に向かうにつれてテーパ状に厚くなっていることを特徴とする請求項１に記載の染毛剤塗布具。
【請求項３】
染毛剤を塗布する第１面と、前記第１面と反対側の第２面と、をさらに有し、
前記把持部は、前記第１面及び前記第２面のそれぞれに内側に窪むように設けられていることを特徴とする請求項１または２に記載の染毛剤塗布具。
【請求項４】
前記テール部を着脱可能且つ回転可能に保持するテール保持部をさらに有し、
前記テール保持部は、前記第１塗布部、前記第２塗布部、前記第３塗布部、及び前記把持部と同一の弾性素材で一体的に形成され、
前記テール部は、先端部分が湾曲していることを特徴とする請求項１から３のいずれか１項に記載の染毛剤塗布具。
【請求項５】
請求項１から４のいずれか１項に記載の染毛剤塗布具を用い、
前記第２塗布部でもみあげを染毛し、
前記第３塗布部でおでこの生え際又は襟足の少なくとも一方を染毛し、
前記第１塗布部で前記第２塗布部及び前記第３塗布部で染毛した部分以外の場所を染毛する染毛剤塗布具の使用方法。
【発明の詳細な説明】
【技術分野】
【０００１】
本発明は染毛剤塗布具及び染毛剤塗布具の使用方法に関する。
【背景技術】
【０００２】
従来より、髪を染毛する際には、クシ又はブラシ形状の毛染用具が用いられていた。特許文献１に記載の毛染め用ブラシでは、生え際を染毛する際に使用する櫛部材又はヘラをブラシ本体に一体で装着することができるため、保管に便利でかつ一方を忘れたり紛失することがない。
【０００３】
特許文献２に記載の毛染め用ブラシでは、スライスを取り外し可能に設け、取外し後のスライスを基台に固定可能とすることにより、コームの長さを短くし、収納箱に収納できるようにしたものである。
【先行技術文献】
【特許文献】
【０００４】
【特許文献１】特開平８−５２０２１号公報
【特許文献２】実用新案登録第３０４４２９４号
【発明の概要】
【発明が解決しようとする課題】
【０００５】
しかしながら、従来の染毛用具はいずれもブラシ又はクシ形状をなしており、染毛する際に頭皮に刺激があった。特に、髪の生え際を染毛する際は、頭皮に直接染毛用具が触れることが多く、ブラシ又はクシの先端部分が頭皮に当たることにより地肌への刺激が強かった。また、伸びてきた髪を染めるため生え際を染毛することが多いが、ブラシまたはクシで染毛剤を塗布すると、ブラシ又はクシが髪の流れに沿って移動するため、生え際に十分に染毛剤を塗布することができないという問題があった。特に、生え際では、地肌が近いこともあって大量の染毛剤を塗布すると肌に直接多くの染毛剤が付着してしまうこととなり、少ない染毛剤で効率的に染毛する必要があるが、ブラシ又はクシによって生え際に十分な染毛剤を塗布することは難しかった。
【０００６】
そこで、本発明は肌に優しく生え際にも染毛剤を十分に塗布することができる染毛剤塗布具及び染毛剤塗布具の使用方法を提供することを目的とする。
【課題を解決するための手段】
【０００７】
第１の発明では、直線状の直線端部を有する第１塗布部と、前記第１塗布部に隣接し、アールが形成された第２塗布部と、前記第１塗布部に隣接し、前記第２塗布部のアールよりも半径の大きいアールが形成された第３塗布部と、作業者が把持するための把持部と、髪をかき分けるためのテール部と、を有し、前記第１塗布部、前記第２塗布部、前記第３塗布部、及び前記把持部は、同一の弾性素材で一体的に形成されていることを特徴とする染毛剤塗布具を提供する。
【０００８】
第２の発明では、第１の発明において、長手方向における断面形状は、前記長手方向に延びる中心線に対して線対称であって、前記第１塗布部、前記第２塗布部、及び前記第３塗布部における前記断面形状は、前記長手方向の一端から他端に向かうにつれてテーパ状に厚くなっていることを特徴としている。
【０００９】
第３の発明では、第１の発明又は第２の発明において、染毛剤を塗布する第１面と、前記第１面と反対側の第２面と、をさらに有し、前記把持部は、前記第１面及び前記第２面のそれぞれに内側に窪むように設けられていることを特徴としている。
【００１０】
第４の発明では、第１の発明から第３の発明において、前記テール部を着脱可能且つ回転可能に保持するテール保持部をさらに有し、前記テール保持部は、前記第１塗布部、前記第２塗布部、前記第３塗布部、及び前記把持部と同一の弾性素材で一体的に形成され、前記テール部は、先端部分が湾曲していることを特徴としている。
【００１１】
第５の発明では、第１の発明から第４の発明の染毛剤塗布具を用い、前記第２塗布部でもみあげを染毛し、前記第３塗布部でおでこの生え際又は襟足の少なくとも一方を染毛し、前記第１塗布部で前記第２塗布部及び前記第３塗布部で染毛した部分以外の場所を染毛する染毛剤塗布具の使用方法を提供する。
【発明の効果】
【００１２】
本発明によれば、次のような効果を得ることができる。
【００１３】
第１の発明によると、第１塗布部は直線状の直線端部を備えているため、髪と第１塗布部とが直線状に接触し、髪の生え際であっても髪に十分に染毛剤を乗せることができる。従来のように、クシやブラシを用いて生え際に染毛剤を塗布すると、クシやブラシの毛が髪の凹凸に沿うように流れるため、クシやブラシが過剰に染毛剤を取り除いてしまい生え際に十分に染毛剤を塗布することが難しかった（図３（ａ））。しかし、本発明によると、第１塗布部の直線端部と髪とが直線状に接触するため髪の毛の凹凸の凹の部分には染毛剤が残ることとなり、生え際を染毛するのに十分な染毛剤を髪に乗せることができる（図３（ｂ））。これにより、髪が伸びてきた部分を染め直すいわゆるリタッチの作業性を向上させることができる。また、第２塗布部及び第３塗布部にはそれぞれアールが形成されているため、生え際の様々な場所に対して効率的に染毛剤を塗布することができる。特に、第２塗布部は小さいアールであるため細かい部分であるもみあげの染毛に適しており、第３塗布部は大きいアールであるため襟足などの幅広くて湾曲している部分の染毛に適している。さらに、第１塗布部、第２塗布部、第３塗布部、及び把持部が同一の弾性素材で形成されているため、染毛剤を塗布する感覚が直接的に把持部に伝わってくる。これにより、染毛剤の粘度や状態に応じてどの程度の力で染毛剤を塗布すれば良いのかを感覚的に理解しやすくなり、さまざまな種類の染毛剤に対して、髪に十分に染毛剤を乗せることができる。また、把持部の押圧力が直接的に第１塗布部、第２塗布部、及び第３塗布部に伝達されるため、染毛剤を毛束の内側まで浸透させることができる。さらに、同一の素材で一体的に形成されているため、染毛剤塗布具の製造コストを削減することができる。また、髪をかき分けるテール部を有しているため、染毛の際に染毛剤塗布具とテールとを持ち替える必要がなくなり、染毛作業の作業性を向上させることができる。
【００１４】
第２の発明によると、染毛剤塗布具の断面は、上下の中心線に対して線対称であるため、いずれの面を髪に当てた場合であっても、同様の強さで染毛剤を髪に塗布することができる。これにより、染毛の際に２つの面を使用することができる。また、第１塗布部、第２塗布部、及び第３塗布部はいずれも断面がテーパ状に厚くなっているため、端部は曲がり易く、長手方向に向かうにつれて曲がりにくくなる。これにより、染毛剤塗布具を押圧する力に応じて髪と染毛剤塗布具との接触面積が変化し、細かい部分は狭い接触面積で丁寧に染毛剤を塗布し、広い部分は大きな接触面積で効率的に染毛剤を塗布することができる。
【００１５】
第３の発明によると、把持部は、第１面及び第２面の両面に設けられているため、第１面又は第２面のいずれの面を髪に当てた場合であっても、染毛剤塗布具をしっかりと把持することができる。把持部は内側に窪んでいることにより、把持した際の指が窪みに収まり、染毛剤塗布具が落下することを抑制できる。
【００１６】
第４の発明によると、テール部が着脱可能となっているため、形状が異なるテール部に差替えることができる。また、先端が湾曲していることにより、髪をかき上げ易くなっている。さらに、テール部を回転させることにより、湾曲している部分の方向を任意に設定することができ、使い勝手の良い染毛剤塗布具を提供することができる。また、テール保持部は、第１塗布部、第２塗布部、第３塗布部、及び把持部と同一の弾性素材で一体的に形成されているため、染毛剤塗布具の製造コストを削減することができる。
【００１７】
第５の発明によると、半径の小さいアールが形成されている第２塗布部でもみあげ等に染毛剤を塗布することで、地肌に直接多量の染毛剤が付着することを抑制し、効率的に染毛剤を髪に塗布することができる。また、半径の大きいアールが形成されている第３塗布部で襟足やおでこの生え際などの湾曲している部分に染毛剤を塗布することにより、地肌に直接多量の染毛剤が付着することを抑制するとともに、効率的に染毛剤を髪に塗布することができる。これにより、染毛剤を塗布する際の作業性を向上させることができる。また、直線端部を有する第１塗布部で上記以外の部分を塗布することにより、髪の生え際に染毛するのに十分な量の染毛剤を塗布することができる。これにより、染ムラをなくし髪全体を均一に染めることができる。
【図面の簡単な説明】
【００１８】
【図１】本発明の実施の形態による染毛剤塗布具の斜視図。
【図２】本発明の実施の形態による染毛剤塗布具の第１塗布部における断面図。
【図３】図３（ａ）は従来の染毛剤塗布具で染毛剤を塗布した状態を示す図であって、図３（ｂ）は本発明の実施の形態による染毛剤塗布具で染毛剤を塗布した状態を示す図。
【図４】本発明の実施の形態による染毛剤塗布具の第１塗布部で生え際を染毛している状態を示す図。
【図５】本発明の実施の形態による染毛剤塗布具の第２塗布部でもみあげを染毛している状態を示す図。
【図６】本発明の実施の形態による染毛剤塗布具の第３塗布部で襟足を染毛している状態を示す図。
【発明を実施するための形態】
【００１９】
本発明の実施の形態による染毛剤塗布具１を図１乃至図６に基づき説明する。図１に示すように、前後上下左右方向を定義する。なお、以下の説明において、直交、平行、とは完全なる直交及び平行に加え、略直交、略平行の概念も含むものとする。
【００２０】
染毛剤塗布具１は、本体部２と、テール部３と、を備えている。本体部２は、弾性を有する素材（弾性素材）であってシリコンゴムからなる。本体部２は、例えば、天然ゴム、クロロプレンアクリロゴム、アクリロニトリルブタジエンゴム、フッ素ゴム、ウレタンゴム等を用いてもよい。本体部２は、髪と接触した際に所定の抵抗を持って移動する。テール部３は、熱可塑性樹脂であって、例えば、ポリプロピレン、ポリアセタール、アクリルニトル・スチレン樹脂等を使用することができる。テール部３は、髪と接触した際の抵抗が本体部２よりも小さい。本体部２は、前側の面である前面１Ａと、後側の面である後面１Ｂと（図２）、第１塗布部２１と、第２塗布部２２と、第３塗布部２３と、把持部２４と、テール保持部２５と、を有している。本体部２の左上端部には、前後方向に貫通する円形の貫通孔２ａが形成されていて、染毛剤塗布具１をフック等に引掛ける際に使用する。前面１Ａ及び後面１Ｂのいずれか一方が本発明の第１面に相当し、他方が第２面に相当する。
【００２１】
図１に示すように、第１塗布部２１は、染毛剤塗布具１の下部中央であって略平板形状をなし、下端に左右方向に直線状に延びる直線端部２１Ａを備えている。本体部２の左右方向略中央部分における上下方向（長手方向）の断面は、図２に示すように、上下方向に延びる中心線Ａに対して線対称である。第１塗布部２１は、下端（先端）から上方に向かうにつれてテーパ状に厚くなっており、先端部分の拡大図に示すように、直線端部２１Ａの前後方向の角にはアールＲ１が形成されている。直線端部２１Ａは直接地肌に接触する部分であるため、アールを形成することにより肌への刺激を低減している。第１塗布部２１の断面のテーパ部分は、第１塗布部２１で染毛剤を塗布する際には、直線端部２１Ａから把持部２４にかけて湾曲し、直線端部２１Ａから上方に十数ミリの領域で直線状に髪と接触し、髪に染毛剤を塗布する。なお、第１塗布部２１の断面の形状やテーパの傾斜等は、染毛剤塗布具１の素材に応じて任意に変更することができる。
【００２２】
第２塗布部２２は、第１塗布部２１の右側に隣接し、前後方向から見て半径ｒ２のアールＲ２が形成されている。ここでいう隣接とは、同一の素材で一体的に隙間なく形成されていることをいう。第２塗布部２２は、第１塗布部２１と同様に、上下方向の断面において、上下方向の中心線に対して線対称となっていて、下部から上方に向かうにつれて略テーパ状に厚くなっており、下端部の前後方向における各角にはアールが形成されている。第２塗布部２２の下端部は直接地肌に接触する部分であるため、アールを形成することにより、肌への刺激を低減している。第２塗布部２２で染毛剤を塗布する際は、第２塗布部２２の右下端部から把持部２４にかけて湾曲し、当該端部から十数ミリの領域でフラットに髪と接触し、髪に染毛剤を塗布する。なお、第２塗布部２２の断面の形状やテーパの傾斜等は、染毛剤塗布具１の素材に応じて任意に変更することができる。
【００２３】
第３塗布部２３は、第１塗布部２１の左側に隣接し、前後方向から見て半径ｒ２よりも半径の大きい半径ｒ３のアールＲ３が形成されている。第３塗布部２３は、第１塗布部２１と同様に、上下方向の断面において、上下方向の中心線に対して線対称となっていて、下部から上方に向かうにつれて略テーパ状に厚くなっており、下端部の前後方向における各角にはアールが形成されている。第３塗布部２３の下端部は直接地肌に接触する部分であるため、アールを形成することにより、肌への刺激を低減している。第３塗布部２３で染毛剤を塗布する際は、第３塗布部２３の左下端部から把持部２４にかけて湾曲し、当該端部から十数ミリの領域でフラットに髪と接触し、髪に染毛剤を塗布する。なお、第３塗布部２３の断面の形状やテーパの傾斜等は、染毛剤塗布具１の素材に応じて任意に変更することができる。
【００２４】
把持部２４は、図１に示すように、本体部２の略中央部分であって、図２に示すように、前面１Ａ及び後面１Ｂに内側に窪むように形成されている。前面１Ａ及び後面１Ｂに形成された把持部２４は同一形状であって、下方に向かうにつれて右方向に広がるような形状を成しており略中央部分が最も窪んでいる。作業者が染毛剤塗布具１を把持する際は、前面１Ａ及び後面１Ｂのうちの一方の最も窪んだ部分に親指の腹を配置し、他方の最も窪んだ部分の周辺に中指の腹及び人差し指と薬指の一部を配置する。
【００２５】
テール保持部２５は略円筒形状をなし、テール部３を着脱可能且つ回転可能に保持する保持孔２５ａが形成されている。テール保持部２５は、前面１Ａ及び後面１Ｂにおいて前後方向に円弧状に突出していて、円筒の軸心は斜め左下と右上とを結ぶ方向に指向している。これにより、テール部３がテール保持部２５に装着された状態では、テール部３は斜め左下方向に延びている。
【００２６】
染毛剤塗布具１の本体部２において、第１塗布部２１と、第２塗布部２２と、第３塗布部２３と、把持部２４と、テール保持部２５とは、同一の弾性素材で一体的に形成されている。
【００２７】
テール部３は、テール保持部２５との嵌合により所定の抵抗をもって回転する。例えばテール部３で髪を分けた際の負荷では回転しないが、作業者がテール部３を回すことにより回転する。テール部３は、湾曲部３１と、先端部３２と、被保持部３３とを備えている。湾曲部３１は、テール部３の先端部分に設けられていて、先端に向かうにつれて斜め右下方向に円弧状に湾曲している。この湾曲する方向は、テール部３を回転させることにより任意に設定することができる。先端部３２は、丸みを帯びていて、略半球形状をなしている。先端部３２は、テール部３で髪を分ける際に地肌に直接触れる部分であるため、丸みを帯びさせることにより肌への刺激を低減している。被保持部３３が保持孔２５ａに挿入されることにより、テール部３がテール保持部２５に保持される。
【００２８】
次に、染毛剤塗布具１を用いて髪を染毛する方法について説明する。
【００２９】
染毛する際には、染毛剤をカップやボウル等で溶いて染毛剤塗布具１又はマドラー等で混ぜ合わせる。第１塗布部２１に染毛剤をとり、図４に示すように、第１塗布部２１の直線端部２１Ａを分け目５１と平行になるように配置し、髪の方向に沿って直線端部２１Ａを平行移動させるように生え際に染毛剤を塗布する。図３（ａ）に示すように、従来のブラシ１２１で染毛剤を塗布すると、ブラシ１２１の毛１２１Ａが髪１１の凹凸に沿うため凹部１２の染毛剤１０も毛１２１Ａによって取り除かれてしまい生え際に十分な量の染毛剤１０を塗布することが難しかった。また、押圧する力がブラシ１２１の毛１２１Ａの１本１本に分散してしまい、強く押圧したとしても毛１２１Ａが湾曲してしまうため、染毛剤１０が浸透する深さＤ１が浅く毛束の内側まで染毛剤１０を浸透させ難かった。図３（ｂ）に示すように、第１塗布部２１の直線端部２１Ａ又は直線端部２１Ａから数十ミリの領域でフラットに染毛剤１０を塗布することにより、髪１１の凹凸の凹部１２に染毛剤１０が残ることとなり、染毛するために必要な量の染毛剤１０を髪１１に塗布することができる。また、髪１１と、把持部２４と一体的に形成された第１塗布部２１と、が直線状に接触するため、染毛剤塗布具１を押圧する力が髪にダイレクトに伝わり、深さＤ１よりも深い深さＤ２まで、つまり、毛束の内側まで染毛剤１０を浸透させることができる。ヘナなどの天然成分を原料とする染毛剤は粘性が高く天然成分の粒子も残存しているため、従来のブラシでは生え際に染毛剤を必要な量だけ塗布することが難しかった。しかし、本実施の形態の染毛剤塗布具１によると、ヘナを含む染毛剤を第１塗布部２１の直線端部２１Ａで塗布することにより、粘性のあるヘナなどの染毛剤であっても髪に染毛剤を残すとともに毛束の内側まで染毛剤を浸透させ、染め残しをなくし効率的に髪１１を染毛することができる。第２塗布部２２及び第３塗布部２３についても髪１１へフラットに接触するため、第１塗布部２１と同様の効果を得ることができる。
【００３０】
図５に示すように、もみあげ５２を染毛する際は、第２塗布部２２のアールＲ２の部分を利用して、染毛剤１０を塗布する。第２塗布部２２は、第１塗布部２１及び第３塗布部２３に比べて髪との接触面積が小さいため、感触が柔らかく細かい部分を丁寧に染毛することができる。従来のブラシは直線状であって幅も広いためもみあげ５２などの細かい部分に染毛剤１０を塗布することは難しかった。これに対し、第２塗布部２２を利用することで染毛剤１０を塗布する部分が湾曲しているアールＲ２であって染毛剤塗布具１を押圧する力によって髪と接触する幅を任意に変更することができるため、地肌に付着する染毛剤１０を抑えつつ効率的に染毛剤１０を塗布することができる。
【００３１】
図６に示すように、襟足５３の生え際を染毛する際は、第３塗布部２３のアールＲ３の部分を利用して、染毛剤１０を塗布する。第３塗布部２３は、第２塗布部２２よりもアールの半径が大きいため、効率的に染毛剤１０を襟足５３に塗布することができる。また、襟足５３やおでこの生え際などのカーブしている部分であっても、アールＲ３を利用することで、染毛剤１０が地肌に触れる量を最小限に抑えることができる。従来のブラシは直線状であって幅も広いため、襟足５３などの湾曲した部分の生え際に染毛剤１０を塗布することは難しかった。これに対し、第３塗布部２３を利用することで染毛剤１０を塗布する部分が湾曲しているアールＲ３であって染毛剤塗布具１を押圧する力によって髪と接触する幅を任意に変更することができるため、地肌に付着する染毛剤１０を抑えつつ効率的に染毛剤１０を塗布することができる。
【００３２】
毛束の内側に染毛剤１０を塗布する際には、テール部３を用いて髪１１をかき分け、内部の髪１１に染毛剤１０を塗布する。頭の形に応じて、テール部３を回転させて湾曲部３１の位置を変更させてもよい。染毛剤１０が髪１１全体もしくは髪１１の毛の生え際全体に略均等に塗布したら、所定時間放置して髪をすすぐ。放置する時間は、髪の質や染毛剤の材料などによって任意に設定する。
【００３３】
このような染毛剤塗布具１によると、第１塗布部２１は直線状の直線端部２１Ａを備えているため、髪１１と第１塗布部２１とが直線状に接触し、髪１１の生え際であっても髪１１に十分に染毛剤１０を乗せることができる。例えば、ブラシ１２１を用いて生え際に染毛剤１０を塗布すると、ブラシ１２１の毛１２１Ａが髪１１の凹凸に沿うように流れるため、ブラシ１２１が過剰に染毛剤１０を取り除いてしまい生え際に十分に染毛剤１０を塗布することが難しかった。しかし、第１塗布部２１の直線端部２１Ａと髪１１とが直線状に接触するため髪１１の凹凸の凹部１２には染毛剤１０が残ることとなり、生え際を染毛するのに十分な染毛剤１０を髪１１に乗せることができる。これにより、髪１１が伸びてきた部分を染め直すいわゆるリタッチの作業性を向上させることができる。また、第２塗布部２２及び第３塗布部２３にはそれぞれアールＲ２、Ｒ３が形成されているため、生え際の様々な場所に対して効率的に染毛剤１０を塗布することができる。さらに、第１塗布部２１、第２塗布部２２、第３塗布部２３、及び把持部２４が同一の弾性素材で形成されているため、染毛剤１０を塗布する感覚が直接的に把持部２４に伝わってくる。これにより、染毛剤１０の粘度や状態に応じてどの程度の力で染毛剤１０を塗布すれば良いのかを感覚的に理解しやすくなり、さまざまな種類の染毛剤１０に対して、髪１１に十分に染毛剤１０を乗せることができる。また、把持部２４の押圧力が直接的に第１塗布部２１、第２塗布部２２、及び第３塗布部２３に伝達されるため、染毛剤１０を毛束の内側まで浸透させることができる。さらに、本体部２が同一の素材であるため、染毛剤塗布具１の製造コストを削減することができる。また、髪１１をかき分けるためのテール部３を有しているため、染毛の際に染毛剤塗布具１とテール部３とを持ち替える必要がなくなり、染毛作業の作業性を向上させることができる。
【００３４】
このような染毛剤塗布具１によると、染毛剤塗布具１の断面は、上下の中心線Ａに対して線対称であるため、前面１Ａ及び後面１Ｂのいずれの面を髪１１に当てた場合であっても、同様の強さで染毛剤１０を髪に塗布することができる。これにより、染毛の際に２つの面を使用することができる。また、第１塗布部２１、第２塗布部２２、及び第３塗布部２３はいずれも断面がテーパ状に厚くなっているため、端部は曲がり易く、長手方向に向かうにつれて曲がりにくくなる。これにより、染毛剤塗布具１を押圧する力に応じて髪１１と染毛剤塗布具１との接触面積が変化し、細かい部分は狭い接触面積で丁寧に染毛剤１０を塗布し、広い部分は大きな接触面積で効率的に染毛剤１０を塗布することができる。
【００３５】
このような染毛剤塗布具１によると、把持部２４は、前面１Ａ及び後面１Ｂの両面に設けられているため、前面１Ａ又は後面１Ｂのいずれの面を髪１１に当てた場合であっても、染毛剤塗布具１をしっかりと把持することができる。把持部２４は内側に窪んでいることにより、把持した際の指が窪みに収まり、染毛剤塗布具１が落下することを抑制できる。
【００３６】
このような染毛剤塗布具１によると、テール部３が着脱可能となっているため、形状が異なるテール部に差替えることができる。また、先端が湾曲していることにより、髪をかき上げ易くなっている。さらに、テール部３を回転させることにより、湾曲している部分の方向を任意に設定することができ、使い勝手の良い染毛剤塗布具を提供することができる。また、テール保持部２５は、第１塗布部２１、第２塗布部２２、第３塗布部２３、及び把持部２４と同一の弾性素材で一体的に形成されているため、染毛剤塗布具１の製造コストを削減することができる。
【００３７】
このような染毛剤塗布具１の使用方法によると、半径の小さいアールが形成されている第２塗布部でもみあげ等に染毛剤を塗布することで、地肌に直接多量の染毛剤が付着することを抑制し、効率的に染毛剤を髪に塗布することができる。また、半径の大きいアールが形成されている第３塗布部で襟足やおでこの生え際などに染毛剤を塗布することで、地肌に直接多量の染毛剤が付着することを抑制するとともに、効率的に染毛剤を髪に塗布することができる。これにより、染毛剤を塗布する際の作業性を向上させることができる。また、直線端部を有する第１塗布部で上記以外の部分を塗布することにより、髪の生え際に染毛するのに十分な量の染毛剤を塗布することができる。これにより、染ムラをなくし髪全体を均一に染めることができる。
【００３８】
本発明による染毛剤塗布具及び染毛剤塗布具の使用方法は、上述した実施の形態に限定されず、特許請求の範囲に記載された発明の要旨の範囲内で種々の変更が可能である。
【００３９】
上述の染毛剤塗布具１では、テール部３はテール保持部２５に対して回転可能であったが、これに限定されない。テール部及びテール保持部のいずれか一方に溝を設けて他方に当該溝に係合する突起を設けることにより、テール部をテール保持部に対して回転不能としてもよい。これにより、所望の位置でテール部３を固定することができる。また、テール部３は左下方向に延びるように設けられていたが、テール部３の延出方向は任意に設定することができる。
【００４０】
上述の染毛剤塗布具１では、テール部３の形状は、先端部が円弧状に湾曲していたが、これに限定されない。例えば、より細かな場所に対して染毛剤を塗布できるように薄いシリコン等で形成されたヘラ状の塗布部をテール部の先端に設けてもよい。また、湾曲のアールをより小さくしてもよい。これにより、頭皮の形状に沿ったアールとなり、より髪をかき分け易くなる。
【００４１】
上述の染毛剤塗布具１では、本体部２は前後方向から見て略鳥のような毛状をなしていたが、これに限定されない。例えば、略矩形であってもよく、略楕円形状や略円形であってもよい。
【符号の説明】
【００４２】
１    染毛剤塗布具
１Ａ  前面
１Ｂ  後面
２    本体部
３    テール部
２１  第１塗布部
２２  第２塗布部
２３  第３塗布部
２４  把持部
２５  テール保持部
３１  湾曲部
５２  もみあげ
５３  襟足
【図１】
2018153380.tif 000003
【図２】
2018153380.tif 000004
【図３】
2018153380.tif 000005
【図４】
2018153380.tif 000006
【図５】
2018153380.tif 000007
【図６】
2018153380.tif 000008